(57)【要約】【課題】  コレクターによる収容芝草の排出は、車体の後方へできるだけ離間した位置へ行わせる必要があり、運転操作に熟練を要する。【解決手段】  モーアデッキ１からシュータ２を介して送込まれる芝草を収容するコレクター３を、後上部へ回動させて下向に開口４させて収容芝草を排出させる排出姿勢に操作可能に設け、このコレクター３の底部には、この排出操作によって後下り傾斜に回動して開口４部から排出される芝草を後下方へ排出案内する底板５を設ける。コレクター３及び底板５を芝草収容姿勢にしたり、排出姿勢に切替えることができる。コレクター３の排出姿勢では、開口４が下向きになって収容芝草を落下排出するが、この底板５の後下り傾斜によって載せていた芝草を後方へ案内させて、車体後端からできるだけ離間した位置へ排出案内する。【選択図】  図３
2009178136.tif 000002
【特許請求の範囲】
【請求項１】
モーアデッキ（１）からシュータ（２）を介して送込まれる芝草を収容するコレクター（３）を、後上部へ回動させて下向に開口（４）させて収容芝草を排出させる排出姿勢に操作可能に設け、このコレクター（３）の底部には、この排出操作によって後下り傾斜に回動して開口（４）部から排出される芝草を後下方へ排出案内する底板（５）を設けたことを特徴とするモーアコレクター。
【請求項２】
前記コレクター（３）の開閉回動と、底板（５）の上下回動を、単一の操作レバー（６）で連動操作することを特徴とする請求項１に記載のモーアコレクター。
【請求項３】
前記シュータ（２）の終端底部に送込残草をコレクタ（３）へ送込むクリーナプレート（７）を設け、このクリーナプレート（７）を前記操作レバー（６）で連動し、又、単独のクリーナレバー（８）で操作可能に設けたことを特徴とする請求項１、又は２に記載のモーアコレクター。
【発明の詳細な説明】
【技術分野】
【０００１】
この発明は、フロントモーア、又はミッドモーア等において、モーアデッキで刈取られる芝草の搬入を受けて収容するモーアコレクターに関し、収容芝草の排出操作を簡単にして、車体後側位置へできるだけ離間させて排出させるものである。
【背景技術】
【０００２】
コレクターを操作レバーによって開閉回動する技術や、シュータ終端部の残留草をコレクター側へ送出すためのクリーナプレートを、クリーナレバーによって操作する技術等（例えば、特許文献１参照）が知られている。
【特許文献１】特開２００７−７４９５７号公報（第５頁、第６頁、図６、図７）。
【発明の開示】
【発明が解決しようとする課題】
【０００３】
モーアにあっては、作業条件が多様で適応性の向上がのぞまれ、操作性を良くするために、コレクターを含む車体の前後長さを短くしたり、機体高さを低くする等の必要性が強い。しかしながら、コレクターによる収容芝草の排出は、車体の後方へできるだけ離間した位置へ行わせる必要があり、又、できるだけ広域に薄く排出するため、車体を前進させながらコレクターを排出姿勢にする等の運転操作に熟練度を要求される場合が多い。
【課題を解決するための手段】
【０００４】
請求項１に記載の発明は、モーアデッキ１からシュータ２を介して送込まれる芝草を収容するコレクター３を、後上部へ回動させて下向に開口４させて収容芝草を排出させる排出姿勢に操作可能に設け、このコレクター３の底部には、この排出操作によって後下り傾斜に回動して開口４部から排出される芝草を後下方へ排出案内する底板５を設けたことを特徴とするモーアコレクターの構成とする。コレクター３及び底板５を芝草収容姿勢にしたり、排出姿勢に切替えることができる。コレクター３の収容姿勢では、刈取作業によってモーアデッキ１で刈取られる芝草がシュータ２を介して、開口４部から搬入されて収容される。このとき、コレクター３の底部の底板５上に芝草が受けられている。又、コレクター３の排出姿勢では、開口４が下向きになって収容芝草を落下排出するが、この底板５の後下り傾斜によって載せていた芝草を後方へ案内させて、車体後端からでるだけ離間した位置へ排出案内する。
【０００５】
請求項２に記載の発明は、前記コレクター３の開閉回動と、底板５の上下回動を、単一の操作レバー６で連動操作することを特徴とする。単一の操作レバー６を操作することによって、前記のようにコレクター３と底板５を芝草収容姿勢と排出姿勢に切替える。収容姿勢ではコレクター３が前側下方に回動して、開口４がシュータ２に連動して、このシュータ２で搬送される芝草の送込を受けて収容することができ、このとき底板５が上側へ回動されて、この収容される芝草の底部を支持する。排出姿勢では、コレクター３が後方上部へ回動されて開口４を下方に向けて開き、収容芝草を落下排出する状態となる。このとき底板５が後下りに傾斜する状態に回動されて、収容支持していた芝草をこの傾斜底板５面に沿って案内させて車体後方位置へ排出させる。
【０００６】
請求項３に記載の発明は、前記シュータ２の終端底部に送込残草をコレクター３へ送込むクリーナプレート７を設け、このクリーナプレート７を前記操作レバー６で連動し、又、単独のクリーナレバー８で操作可能に設けたことを特徴とする。前記のような操作レバー６による操作によって、コレクター３や、底板５の収容姿勢と排出姿勢を切替えることができるが、このときこのコレクター３の開口４部近くに位置するシュータ２後端底部のクリーナプレート７が操作されて、収容姿勢時はシュータ２底部を形成して搬送芝草を送込案内し、排出姿勢時はこのシュータ２部に残る芝草を開口４からコレクター３内へ送込むようにクリーナプレート７を回動する。又、このクリーナプレート７の回動操作は、この操作レバー６による操作によらないで、クリーナレバー８の操作によって独自に送込むように操作することができる。このときは、コレクター３は排出姿勢には回動されないで、収容姿勢を維持することができる。
【発明の効果】
【０００７】
請求項１に記載の発明は、コレクター３を収容姿勢に位置しているときは、この内底部に底板５が位置しているため、収容芝草の底部をこの底板５で支持していて、コレクター３の排出姿勢位置へ回動によって、この開口４が下向きに開口すると共に、底板５が後下り傾斜になって芝草の落下排出位置を車体後方の離間位置へ案内することができる。この底板５の排出回動操作はコレクター３の排出操作によって行われるため、操作を簡単、容易に行うことができる。
【０００８】
請求項２に記載の発明は、このようなコレクター３の開閉回動操作と底板５の上下回動操作を、単一の操作レバー６で連動操作するものであるから、構成、操作共に簡単、容易化することができる。
【０００９】
請求項３に記載の発明は、前記操作レバー６によって、コレクター３、及び底板５と共に、クリーナプレート７をも操作することによって、構成、操作一層簡単、容易化することができ、しかも、芝草収容状態においてもクリーナレバー８の操作でクリーナプレート７を操作して芝草の送込作用を行わせることができ、操作性を高めることができる。
【発明を実施するための最良の形態】
【００１０】
図例に基づいて、車体３１は前輪９、後輪１０を前部搭載のエンジン１１によって伝動駆動して走行する四輪走行形態で、ダッシュボード１２上にはステアリングハンドル１３を有し、ステップフロア１４後部のシートカバー１５上には運転席１６を有した小形乗用形態としている。この車体３１の腹部に左右一対のブレード１７を有したブレード軸１８を軸装したモーアデッキ１を、前後一対の平行リンク１９、２０で昇降可能に吊下げ、車体３１側のリフトシリンダ機構２１に連結して昇降することができる。車体３１後部の左右後輪１０間には、右側寄り位置にＨＳＴ（油圧無段変速装置）２２、及びミッションケース２３を設け、このミッションケース２３の左右両側部にリヤアクスルハウジング２４を張出して後輪１０を軸装している。これらＨＳＴ２０の右寄り位置にＰＴＯ軸２５、及び入力軸２６を設けて、これらＰＴＯ軸２５からは、ベルト伝動機構２７を介してモーアデッキ１の右側のブレード軸１８上に位置する入力ケース２８の入力軸２９を連動し、入力軸２６は、伝動軸３０を介してエンジン１１と連動して入力駆動することができる。
【００１１】
前記モーアデッキ１の刈取芝草を集送して排出する排出口３２を、モーアデッキ１の後側中央部に形成し、この排出口３２にシュータ２を連接して、ミッションケース２３の左側、及び左右リヤアクスルハウジング２４の上側で、シートカバー１５の下方部を経て後方上部にわたるシュータ２構成とし、車体３１後端に装着のコレクター３の前面開口４に連通させることにより、モーアデッキ１で刈取集送される芝草をシュータ２を介してコレクター３へ搬送収容させる。
【００１２】
コレクター３は、車体３１後端に取付けるコレクタフレーム３３に、開閉回動可能に軸支３４され、操作レバー６の手操作によって後上部へ回動して前開口４を下向に開口することができる。該軸支３４部はこのコレクタフレーム３３の上端後部に形成している。コレクター３は箱形角部に沿うケースフレーム３５の外周にわたってケース網３６を張設したもので、前面に開口４を形成した箱形としている。
【００１３】
又、このコレクター３内の底部前半部上に沿って、コレクタフレーム３３の下端に軸支３７される底板５が設けられ、下方の走行地面に向けて、後下り傾斜姿勢に回動することができる。又、前記シュータ２の終端底部には、クリーナプレート７を該コレクタフレーム３３に対して軸支３８し、このクリーナプレート７を後上部の開口４側へ向けて回動操作することによって、シュータ２の終端部に残留、乃至堆積する芝草をシュータ２の後端口、及び開口４へ押出すことができる。
【００１４】
ここにおいて、このモーアコレクターは、モーアデッキ１からシュータ２を介して送込まれる芝草を収容するコレクター３を、後上部へ回動させて下向に開口４させて収容芝草を排出させる排出姿勢に操作可能に設け、このコレクター３の底部には、この排出操作によって後下り傾斜に回動して開口４部から排出される芝草を後下方へ排出案内する底板５を設けたことを特徴とするモーアコレクターの構成とする。
【００１５】
コレクター３及び底板５を芝草収容姿勢にしたり、排出姿勢に切替えることができる。コレクター３の収容姿勢では、刈取作業によってモーアデッキ１で刈取られる芝草がシュータ２を介して、開口４部から搬入されて収容される。このとき、コレクター３の底部の底板５上に芝草が受けられている。又、コレクター３の排出姿勢では、開口４が下向きになって収容芝草を落下排出するが、この底板５の後下り傾斜によって載せていた芝草を後方へ案内させて、車体後端からできるだけ離間した位置へ排出案内する。
【００１６】
又、前記コレクター３の開閉回動と、底板５の上下回動を、単一の操作レバー６で連動操作することを特徴とする。単一の操作レバー６を操作することによって、前記のようにコレクター３と底板５を芝草収容姿勢と排出姿勢に切替える。収容姿勢ではコレクター３が前側下方に回動して、開口４がシュータ２に連動して、このシュータ２で搬送される芝草の送込を受けて収容することができ、このとき底板５が上側へ回動されて、この収容される芝草の底部を支持する。排出姿勢では、コレクター３が後方上部へ回動されて開口４を下方に向けて開き、収容芝草を落下排出する状態となる。このとき底板５が後下りに傾斜する状態に回動されて、収容支持していた芝草をこの傾斜底板５面に沿って案内させて車体後方位置へ排出させる。
【００１７】
又、前記シュータ２の終端底部に送込残草をコレクター３へ送込むクリーナプレート７を設け、このクリーナプレート７を前記操作レバー６で連動し、又、単独のクリーナレバー８で操作可能に設けたことを特徴とする。前記のような操作レバー６による操作によって、コレクター３や、底板５の収容姿勢と排出姿勢を切替えることができるが、このときこのコレクター３の開口４部近くに位置するシュータ２後端底部のクリーナプレート７が操作されて、収容姿勢時はシュータ２底部を形成して搬送芝草を送込案内し、排出姿勢時はこのシュータ２部に残る芝草を開口４からコレクター３内へ送込むようにクリーナプレート７を回動する。又、このクリーナプレート７の回動操作は、この操作レバー６による操作によらないで、クリーナレバー８の操作によって独自に送込むように操作することができる。このときは、コレクター３は排出姿勢には回動されないで、収容姿勢を維持することができる。
【００１８】
ここで、底板５と操作レバー６の周辺構成及びこれらの連動構成に関して詳細に説明する。コレクタフレーム３３の上端左右にブラケット３３ａ，３３ａを固定し、両ブラケット３３ａ，３３ａ間に水平姿勢でかつ回動自在に支持軸３４を設ける。
上記コレクタフレーム３３の下部において底板５を支軸３７回りに上下回動自在に設けている。この底板５の支軸３７に近い側にはロッド４１の下端を連結し、その上端側を前記支持軸３４に固着する揺動アーム３４ａ、リンク３４ｂからなる揺動機構に連結し、支持軸３４の回動（矢印Ｘ）によって底板５は後端部が下動し、反矢印Ｘの回動によって上動する構成である。
【００１９】
前記支持軸３４の右側端にはアームブラケット３４ｃを備え、このブラケット３４ｃから外方に突出する支持板３４ｄ，３４ｄに操作レバー６を長手方向にスライド自在に貫通している。操作レバー６が図外下端支持板に貫通する支持軸回動ロック状態（コレクタ固定状態）と下端支持板からの係合から脱して操作レバー６の操作に基づく支持軸３４回動可能状態（コレクタ回動状態）となるよう構成している。
【００２０】
前記支持軸３４には、右側のアームブラケット３４ｃを後方に延長するコレクタブラケット部３４ｅと左側にあって支持軸３４と一体的に設けたコレクタブラケット３４ｆを設けている。
【００２１】
そして、上記コレクタブラケット部３４ｅとコレクタブラケット３４ｆには、コレクター３側左右に一対設けた係合ピン３ａ，３ａの受凹部３４ｅ´、３４ｆ´を形成し、かつ、係合ピン３ａ，３ａを保持すべく受ブラケット３ｂ，３ｂを備え、係合ピン３ａ，３ａから前方所定距離隔てた前側位置には前記支持軸３４の下方側位置に進入して該支持軸３４を保持しうる上方を開放した凹部３ｃ，３ｃを設けている。したがって、支持軸３４と凹部３ｃ，３ｃとの係合及び、係合ピン３ａ，３ａと受凹部３４ｅ´、３４ｆ´との係合によってコレクター３本体は支持軸３４に一体の状態となり、これらの係合を外すことにより容易に支持軸３４部から取り外しすることもできる。
【００２２】
そして、コレクター３内に所定量に刈草が堆積すると、操作レバー６を上方に引き上げて前側回動操作することにより、支持軸３４は矢印（Ｘ）方向に回動する。
このとき、コレクター３は支持軸３４周りに後方が上方に傾斜すべく回動し、併せて支持軸３４の回動に伴って底板５は支軸３７，３７部を中心に下方に回動でき、この底板５の上面に堆積された刈草を該回動で開放状態となるコレクター３開口４から落下排出させることができる。
【００２３】
なお、この際、刈草重量が底板５下方回動に寄与して操作レバー６の回動操作を容易とさせる。
コレクター３内の刈草の排出が完了すると、操作レバー６を長手方向に押し込んで元に戻し、図外下端支持板に係合して次回の作業を行う。
【００２４】
又、前記クリーナレバー８は、コレクタフレーム３３の上端部に軸支４５して、ロッド４６、ベルクランク４７等を介して、クリーナプレート７を連動させる。ベルクランク４７に設けたピン４９を、ロッド４６下端の長穴５０に係合させている。又、このベルクランク４７は前記ケースフレーム３５の前上部との間をロッド５１で連結して、前記操作レバー６によって操作することができる。そして、このクリーナレバー８によって操作するときは、操作レバー６による収容回動位置に関係なく、クリーナプレート７を回動してシュータ２終端部の芝草を後側のコレクター３、乃至開口４後方へ押出すことができる。前記コレクタ３３とケースフレーム３５との間はスプリング、又はガススダンパー５２を設け、コレクタフレーム３３とブラケット４７との間には復帰スプリング５３を設けている。
【００２５】
又、前記のようにコレクター３を排出姿勢Ｂに操作して、底板５を傾斜状態Ｄにしたときは、車体３１の走行を停止して地面上に排出芝草の山を形成することができる。この状態で車体３１を後進走行すると底板５で排出芝草を後方へ押し均したり、移動することができる。このときの底板５の傾斜角度を操作レバー６や、他のレバーによって変更調節可能に構成することもできる。
【００２６】
次に、主として図６に基づいて、前記クリーナプレート７に適宜大きさのプレート穴５４を形成したもので、このプレート穴５４を通して掻出棒５５等を後側から差込んで、このシュータ２底部と下側のリヤアクスルハウジング２３や、ＨＳＴ２２ケース等との間の間障部Ｆに堆積する草屑等を掃除し易くするものである。このシュータ２下側のリヤアクスルハウジング２３や、ＨＳＴケース２２等の上部は、狭い間障部Ｆが形成され、芝草や、わら屑等が堆積し易い。コレクター３を排出姿勢Ｂにして、開口４を開放させたり、コレクター３を取外してシュータ２の後端口を開口させても、掃除し難い位置となる。このクリーナプレート７にプレート穴５４を形成することによって、後側開口４部からこのプレート穴５４を介して掻出棒５５等を差込むことができ、リヤアクスルハウジング２４等上部の狭い間隔、間障部Ｆの掃除を簡単、容易に行うことができる。
【００２７】
次に、主として図７〜図９に基づいて、車体３１の前輪９前方にモーアデッキ１を装着するフロントモーア形態において、モーアデッキ１を左右移動可能に設けて、畦際、畦岸際等の刈取を行い易くする。車体３１の前端下側に、平面視横長の矩形状レールフレーム５６を設け、このレールフレーム５６に対して、モーアデッキ１を吊下げるリフトリンク５７、５８を左右方向へ移動調節可能に設ける。レールフレーム５６は断面コ字形態の前後一対のガイドレール５９を形成して、左右一対のリフトリンク５７に設けるローラ６０を支持して、左右横方向へ一定間隔移動することができる。この移動は、レールフレーム５６に設ける左右シリンダ６１の伸縮によって行われる。リフトリンク５７は左右両側部間を連結杆６２で連結されて剛体構成とし、左右シリンダ６１の伸縮作動によって左右へ移動調節される。又、このレールフレーム５６は、後端両側に軸支６４部を有して、車体３１に対して回動自在に支持させる。このレールフレーム５６の前部と車体３１前端のブラケット６３との間に上下シリンダ６５を設け、この上下シリンダ６５の伸縮によって、レールフレーム５６を軸支６４周りに上下回動させて、モーアデッキ１を昇降させることができる。このようにモーアデッキ１を横方向へ移動調節可能に吊持するレールフレーム５６を上下回動させて、モーアデッキ１を昇降するため、構成が簡単であり、安定した刈取作業を行わせることができる。又、リフトリンク５８は、リフトリンク５７に対して前後方向に伸縮移動調節でき、この移動によって車体３１に対するモーアデッキ１の位置を前後に調節して、前輪９に対する関係位置を接近させたり、離間させることができる。モーアデッキ１の各ブレード軸１８の上側部には油圧力によって回転駆動する油圧モータ６６を設け、この油圧モータ６６によるブレード１７回転によって芝草の刈取作用が行われる。この油圧モータ６６は、車体引側の油圧ポンプ回路から油圧ホース６７を経て連動連結して、ブレード軸１８の伝動構成を、モーアデッキ１の横移動等に拘らず簡単化している。このようなモーアデッキ１の上下シリンダ６５による昇降と、左右シリンダ６１による左右移動を各別に行わせるため、構成、及び作動制御を簡単にし、正確に行わせることができる。
【００２８】
図１０に示す構成は、コレクター３を前後に分割構成し、前コレクター部３Ｆはコレクターフレーム３３に適宜固定され、後コレクター部３Ｒは、前コレクター３Ｆに設けた支持軸３４を中心に上下に回動できる構成としている。このように構成し前コレクター部３Ｆの下方は開口して底板５を開閉自在に構成している。なお、該底板５の開閉連動機構は、上例と同様であり、操作レバー６の操作に連動して開閉する構成となっている。
【００２９】
このように構成すると、前コレクター部３Ｆが介在するため、後コレクター部３Ｒの容量をその分小さく設定でき、このため、操作レバー６荷重を少なくすると共に、底板５に加わる荷重を受けて前記した実施例と同様に操作荷重の軽減が図れて操作性を向上するものである。
【図面の簡単な説明】
【００３０】
【図１】モーアコレクターの全体側面図
【図２】コレクター部の側面図
【図３】その斜視図
【図４】クリーナプレート部の側面図
【図５】車体部の平面図
【図６】一部別例を示すシュータ部の斜視図
【図７】モーアデッキ部の側面図
【図８】その平面図
【図９】その分解斜視図
【図１０】別例を示すコレクター部の側面図
【符号の説明】
【００３１】
１    モーアデッキ
２    シュータ
３    コレクター
４    開口
５    底板
６    操作レバー
７    クリーナプレート
８    クリーナレバー
【図１】
2009178136.tif 000003
【図２】
2009178136.tif 000004
【図３】
2009178136.tif 000005
【図４】
2009178136.tif 000006
【図５】
2009178136.tif 000007
【図６】
2009178136.tif 000008
【図７】
2009178136.tif 000009
【図８】
2009178136.tif 000010
【図９】
2009178136.tif 000011
【図１０】
2009178136.tif 000012